(57)【特許請求の範囲】
【請求項１】
椅子の座の側方において起立する支持杆の上端部をほぼＹ字状に形成し、その上端に設けた前後１対の肘当て支持部の上端に、その上端同士を連結するように肘当て部材をほぼ水平に配設するとともに、前記支持杆の上端部と、肘当て部材とを、前記支持杆の前後方向に突出させ、全体を側面視ほぼＴ字状に形成し、前記Ｔ字状の水平部分の上下方向の厚みを、該水平部分の前後端から前記支持杆に近付くに従って厚くし、さらに、前記肘当て部材の下面と、前記支持杆の上端部の上面とを、左右方向の幅が前記支持杆と肘当て支持部と肘当て部材との左右方向の幅より狭い中間壁で連結することにより、肘当て部材の下面と支持杆の上端部の上面との間の両側面にへこみを形成し、かつ、前記肘当て支持部と肘当て部材と中間壁とを一体的に形成したことを特徴とする椅子の肘掛け。
【請求項２】
前記支持杆と、肘当て支持部と、肘当て部材と、中間壁とを、一体的に形成した請求項１に記載の椅子の肘掛け。
【請求項３】
前記支持杆より後方への前記支持杆の上端部と肘当て部材との突出長さを、前記支持杆より前方への前記支持杆の上端部と肘当て部材との突出長さより長くした請求項１または２に記載の椅子の肘掛け。
【発明の詳細な説明】
【０００１】
【発明の属する技術分野】
本発明は、椅子の肘掛けに関し、特に椅子の座の側方において起立する支持杆の上端部に前後方向を向く肘当て部材を設けた椅子の肘掛けに関する。
【０００２】
【従来の技術】
従来、この種の肘掛けの肘当て部材は、肘が外れない程度の左右方向の幅と、肘に押されても変形しない程度の上下方向の厚みとを有している。
【０００３】
【発明が解決しようとする課題】
しかし、従来の肘掛けは、肘当て部材の上下方向の厚みが厚いため、次の問題点を有している。
肘掛け全体が重くなり、椅子の組立時に取り扱いにくい。
肘掛けが樹脂成形品である場合、成形時間が長く、使用材料を多く必要とし、コストアップの要因になる。さらに、「ひけ」等が生じ、肘掛けの外観を損なう。
なお、「ひけ」とは、成形型のキャビテーションに充填された樹脂が、不均一に冷却された際、体積の収縮差によって成形品の表面に生じる「へこみ」のことを言う。
【０００４】
本発明は、上記問題点を解決して、軽量、かつ、外観の優れた肘掛けを提供することを目的とする。
【０００５】
【課題を解決するための手段】
本発明によると、上記課題は、次のようにして解決される。
(１）  椅子の座の側方において起立する支持杆の上端部をほぼＹ字状に形成し、その上端に設けた前後１対の肘当て支持部の上端に、その上端同士を連結するように肘当て部材をほぼ水平に配設するとともに、前記支持杆の上端部と、肘当て部材とを、前記支持杆の前後方向に突出させ、全体を側面視ほぼＴ字状に形成し、前記Ｔ字状の水平部分の上下方向の厚みを、該水平部分の前後端から前記支持杆に近付くに従って厚くし、さらに、前記肘当て部材の下面と、前記支持杆の上端部の上面とを、左右方向の幅が前記支持杆と肘当て支持部と肘当て部材との左右方向の幅より狭い中間壁で連結することにより、肘当て部材の下面と支持杆の上端部の上面との間の両側面にへこみを形成し、かつ、前記肘当て支持部と肘当て部材と中間壁とを一体的に形成する。
【０００６】
(２)  上記(１)項において、前記支持杆と、肘当て支持部と、肘当て部材と、中間壁とを、一体的に形成する。
【０００７】
(３)  上記(１）または(２）項において、前記支持杆より後方への前記支持杆の上端部と肘当て部材との突出長さを、前記支持杆より前方への前記支持杆の上端部と肘当て部材との突出長さより長くする。
【０００８】
【発明の実施の形態】
以下、本発明の実施の形態を図１〜図６に基づいて説明する。
椅子(１)は、キャスター(２)付き脚(３)の中心に立設された支杆(４)の上端に支基(５)を介して設けられた座(６)と、支基(５)より後上方に延出して背もたれ(７)を有する背体(８)と、座(６)の両側方に配設された１対の肘掛け(10)とを有している。
【０００９】
肘掛け(10)は、樹脂成形品であり、図２、図３に示すように、椅子(１)の座(６)の側方に配設されて支基(５)より起立する支持杆(11)と、この支持杆(11)の上端部(11a)に設けた前後１対の肘当て支持部(12)(12)と、この１対の肘当て支持部(12)の上端同士を前後方向を向いて連結する肘当て部材(13)と、支持杆(11)の上端部の上面(11b)と肘当て部材(13)の下面(13a)とを連結する中間壁(14)とを備えている。
【００１０】
肘当て支持部(12)と肘当て部材(13)と中間壁(14)は、一体的に形成されて、支持杆(11)の上端部(11a)に接着剤、あるいは、溶着、または他の固定方法によって固着されている。
このように、肘掛け(10)の一部分を一体化すると、肘掛け(10)の部品を少なくして、肘掛けを能率良く製造することができる。
【００１１】
図４、図５に示すように、中間壁(14)の左右方向の幅（Ｗ１）は、支持杆(11)と肘当て支持部(12)と肘当て部材(13)との何れの左右方向の幅（Ｗ２）よりも狭く形成されている。このため、肘掛け(10)の両側面には、へこみ(15)(15)が形成されている。
この中間壁(14)によって、肘の押圧力を受ける肘当て部材(13)の前後左右の中央部分が下方に変形しないように肘当て部材(13)の強度を確保して、肘掛け(10)を軽量にすることができ、椅子(1)の組み立てが容易になる。
【００１２】
なお、支持杆(11)は、上端部(11a)をやや斜め上方に向けて前後方向に突出させて、側面視上下方向に扁平なＹ字状をなす二股状に形成してあるが、支持杆(11)の上端部(11a)に肘当て支持部(12)と中間壁(14)とが固着できる形状であれば、どの様な形状であってもよい。例えば、Ｔ字状であってもよい。
【００１３】
支持杆(11)の上端部(11a)を扁平なＹ字状に形成して、その上端部(11a)に肘当て部材(13)をほぼ水平に配設してあるため、肘掛け(10)は、側面視ほぼＴ字状に形成されている。また、Ｔ字状の水平部分の上下方向の厚み（Ｔ）は、水平部分の前後端から支持杆(11)に近付くに従って厚くなっている。
このため、肘掛け(10)は、強度的にバランスの取れた形状に形成されて、肘当て部材(13)の前後端近くに肘の押圧力が加わっても、下方に殆ど変形することがなく、機能性に優れている。さらに、肘掛け(10)は、支持杆(11)が前方に傾いていることと相俟って、軽やかな感じを与えて、意匠的にも優れている。
【００１４】
図２に示すように、支持杆(11)より後方への支持杆(11)の上端部(11a)と肘当て部材(13)との突出長さ（Ｌ１）は、支持杆(11)より前方への支持杆(11)の上端部(11a)と肘当て部材(13)との突出長さ（Ｌ２）よりも長くなっている。
従って、肘掛け(10)は、あまり前方に突出して邪魔になることなく、肘を受け止めるのに充分な長さを有している。
【００１５】
肘掛けの変形例として、図６に示すように、支持杆(11)と肘当て支持部(12)と肘当て部材(13)と中間壁(14)とを、一体的に形成してなる肘掛け(20)もある。
この肘掛け(20)は、軽量で、充分な強度を持ち、安価に製造することができる。
【００１６】
【発明の効果】
請求項１記載の発明は、肘当て部材の下面と、支持杆の上端部の上面とを、左右方向の幅が支持杆と肘当て支持部と肘当て部材との左右方向の幅より狭い中間壁で連結することにより、肘当て部材の下面と支持杆の上端部の上面との間の両側面にへこみを形成しているため、次の効果を奏する。
肘の押圧力を受ける肘当て部材の前後左右の中央部分が下方に変形しないように肘当て部材の強度を確保しうるとともに、肘掛けの両側面にへこみが形成されることにより、該肘掛けを軽量にすることができる。
肘掛けの軽量化によって、椅子を容易に組み立てることができる。
肘掛けを樹脂成形品とした場合、肘当て部材と肘当て支持部と中間壁とを各々ほぼ均一な厚みにして、成形時間の短縮と、使用材料の減少とを図ることができる。また、肘掛けを安価にして、「ひけ」等の発生を防止することもできる。
さらに、請求項１記載の発明は、肘当て支持部と肘当て部材と中間壁とを一体的に形成してあるため、肘掛けの部品が少なく、肘掛けを能率良く製造することができる。
また、支持杆の上端部をほぼＹ字状に形成し、その上端に設けた前後１対の肘当て支持部の上端に、その上端同士を連結するように肘当て部材をほぼ水平に配設するとともに、前記支持杆の上端部と、肘当て部材とを、前記支持杆の前後方向に突出させ、全体を側面視ほぼＴ字状に形成し、前記Ｔ字状の水平部分の上下方向の厚みを、該水平部分の前後端から前記支持杆に近付くに従って厚くすると、肘掛けの前後方向の長さを長くして、肘を受け止めやすくすることができるとともに、肘掛けを強度的にバランスの取れた形状にすることができて、肘当て部材の前後端近くに肘の押圧力が加わっても、下方に殆ど変形することのない、強度的、機能的に優れた肘掛けが得られる。
【００１７】
請求項２のように、支持杆と肘当て支持部と肘当て部材と中間壁とを、例えば、合成樹脂により一体的に形成すると、肘掛けの充分な強度が得られて、部品が少なくなり、軽量で安価な肘掛けを得ることができる。
【００１８】
請求項３のように、支持杆より後方への支持杆の上端部と肘当て部材との突出長さを、支持杆より前方への支持杆の上端部と肘当て部材との突出長さより長くすると、肘掛けは、あまり前方に突出して邪魔になることなく、肘を受け止めるのに充分な長さを確保することができる。
【図面の簡単な説明】
【図１】本発明の実施形態の肘掛けを備えた椅子の側面図である。
【図２】図１に示す肘掛けの拡大図である。
【図３】図２に示す肘掛けの分解側面図である。
【図４】図２の４−４矢視断面図である。
【図５】図２の５−５矢視断面図である。
【図６】他の形態の肘掛けの側面図である。
【符号の説明】
(１)椅子
(２)キャスター
(３)脚
(４)支杆
(５)支基
(６)座
(７)背もたれ
(８)背体
(10)肘掛け
(11)支持杆
(11a)支持杆の上端部
(11b)支持杆の上面
(12)肘当て支持部
(13)肘当て部材
(13a)肘当て部材の下面
(14)中間壁
(15)へこみ
(20)肘掛け
【図１】
0003629648.tif 000002
【図２】
0003629648.tif 000003
【図３】
0003629648.tif 000004
【図４】
0003629648.tif 000005
【図５】
0003629648.tif 000006
【図６】
0003629648.tif 000007